(57)【要約】【課題】サーバラックに後付で取付けることが可能で、しかも、必要に応じて取付け位置を任意に選択することができる電子機器収納庫用ロック機構を提供する。【解決手段】電子機器収納庫Ｐ内の電子機器を支持する支柱材Ｐ１に固定ネジ体を固定する。収納された電子機器の前面側又は後面側を覆う蓋体２０を設ける。該蓋体２０を固定ネジ体に装着する。該蓋体２０にロック手段３０を装着する。該ロック手段３０にて蓋体２０を固定ネジ体に施錠するように構成する。【選択図】  図７
2016217032.tif 000002
【特許請求の範囲】
【請求項１】
電子機器収納庫内の電子機器の前面又は後面に着脱自在に装着するロック機構であって、該ロック機構は、収納した電子機器を支持する支柱材に固定する固定ネジ体と、該固定ネジ体に装着して収納された電子機器の前面側又は後面側を覆う蓋体と、該蓋体に装着されたロック手段とを備え、該ロック手段にて蓋体を固定ネジ体に施錠するように構成したことを特徴とする電子機器収納庫用ロック機構。
【請求項２】
前記固定ネジ体は、前記支柱材の長手側面に沿って予め形成されたネジ取付孔を利用してネジ止めするように構成され、前記蓋体に開穿されたダルマ穴状の挿通孔の大径口に頭部を挿入し小径口に軸部が係合するように設けられ、前記ロック手段は、シリンダー錠にロック片を設け、該ロック片を小径口内の前記固定ネジ体の側面に当接させて蓋体の移動を防止するように構成した請求項１記載の電子機器収納庫用ロック機構。
【請求項３】
前記蓋体は、前記支柱材の前面側又は後面側に上下方向に沿って重ねる一対の固定柱体と、該固定柱体相互に連結され、収納した電子機器の前面側又は後面側を覆う遮蔽板とを備え、前記固定ネジ体を挿通せしめるダルマ穴状の挿通孔を固定柱体に開穿すると共に、該固定柱体の挿通孔近傍に前記ロック手段を装着した請求項１又は２記載の電子機器収納庫用ロック機構。
【請求項４】
前記固定柱体は、平断面コ字状を成した柱体と、該柱体の内部に沿って固定された固定板とで構成され、該固定板に前記挿通孔を開穿すると共に、前記ロック手段を柱体の前面側に設けた請求項３記載の電子機器収納庫用ロック機構。
【発明の詳細な説明】
【技術分野】
【０００１】
本発明は、ラックマウント型サーバやストレージ、ネットワーク機器などの電子回路ユニットを収容するサーバラック等の電子機器収納庫に後付けで装着して機器類の不正使用を防止することができる電子機器収納庫用ロック機構に関する。
【背景技術】
【０００２】
１９インチラックに代表されるサーバラックや放送機器を収納する放送用ラックなど、各種の電子機器収納庫が使用されている。例えば、インターネットデータセンターやレンタルサーバ用ハウジング等に設置されている電子機器収納庫（以下、サーバラックと称する）には、ラックマウント型サーバや、ストレージ、ネットワーク機器などの電子回路ユニットが収納されている。
【０００３】
従来、レンタルサーバ等を設置するサーバラックでは、このサーバラックを共有して使用する場合がある。例えば、一つのサーバラック内にユーザーが異なる複数のサーバを設置し、各ユーザーがそれぞれのサーバを取り扱うシステムである。このようにサーバラックを複数のユーザーが使用する場合、セキュリティを高めるためにサーバラックの前面全体を覆う施錠可能な扉を設け、契約者のみが開閉できるように構成したサーバラックが提供されている。
【０００４】
一方、特許文献１に記載の電子機器筐体構造には、棚の前面に複数の扉を取付けたサーバラックが記載されている。すなわち、このサーバラックでは、ラックの種類としてシングルフレームと、高さ寸法がシングルフレームの２倍の大きさのダブルフレームとの二種類を備えたものである。そして、各ダブルフレームの前面に表戸を開閉自在に取り付けている。
【先行技術文献】
【特許文献】
【０００５】
【特許文献１】特許第３２４３１３３号公報
【発明の開示】
【発明が解決しようとする課題】
【０００６】
サーバラックの前面全体を覆う施錠可能な扉を設け、契約者のみが開閉できるように構成することによって、契約者以外の者がサーバを操作することは困難になっている。ところが、扉を開閉する契約者は、他の契約者のサーバを操作することが可能になっているので、サーバラックを共有する契約者間でも他者のサーバを操作できなくなるようなロック機構が望まれている。
【０００７】
一方、特許文献１のサーバラックでは、ラックの製造と共に複数の扉を設ける構成であるから、サーバラックの製造コストが極めて高くなる不都合がある。しかも、特許文献１のサーバラックは、全てのダブルフレームに予め扉を設ける構造になっているが、複数のユーザーが使用するレンタルサーバ等では、必要に応じて、セキュリティを高めることができる構造が望ましい。
【０００８】
そこで本発明は上述の課題を解消すべ創出されたもので、サーバラック等の電子機器収納庫に後付で取付けることが可能で、しかも、必要に応じて取付け位置を任意に選択することができる電子機器収納庫用ロック機構の提供を目的とするものである。
【課題を解決するための手段】
【０００９】
本発明の第１の手段は、電子機器収納庫Ｐ内の電子機器Ｒの前面又は後面に着脱自在に装着するロック機構であって、該ロック機構は、収納した電子機器Ｒを支持する支柱材Ｐ１に固定する固定ネジ体１０と、該固定ネジ体１０に装着して収納された電子機器Ｒの前面側又は後面側を覆う蓋体２０と、該蓋体２０に装着されたロック手段３０とを備え、該ロック手段３０にて蓋体２０を固定ネジ体１０に施錠するように構成したことにある。
【００１０】
第２の手段において、前記固定ネジ体１０は、前記支柱材Ｐ１の長手側面に沿って予め形成されたネジ取付孔Ｐ２を利用してネジ止めするように構成され、前記蓋体２０に開穿されたダルマ穴状の挿通孔２２の大径口２２Ａに頭部１１を挿入し小径口２２Ｂに軸部１２が係合するように設けられ、前記ロック手段３０は、シリンダー錠にロック片３１を設け、該ロック片３１を小径口２２Ｂ内の前記固定ネジ体１０の側面に当接させて蓋体２０の移動を防止するように構成したものである。
【００１１】
第３の手段の前記蓋体２０は、前記電子機器収納庫Ｐに収納した電子機器Ｒの左右に位置する支柱材Ｐ１の前面側又は後面側に上下方向に沿って重ねる一対の固定柱体２１と、該固定柱体２１相互に連結され、収納した電子機器Ｒの前面側又は後面側を覆う遮蔽板２３とを備え、前記固定ネジ体１０を挿通せしめるダルマ穴状の挿通孔２２を固定柱体２１に開穿すると共に、該固定柱体２１の挿通孔２２近傍に前記ロック手段３０を装着したものである。
【００１２】
第４の手段の前記固定柱体２１は、平断面コ字状を成した柱体２１Ａと、該柱体２１Ａの内部に沿って固定された固定板２１Ｂとで構成され、該固定板２１Ｂに前記挿通孔２２を開穿すると共に、前記ロック手段３０を柱体２１Ａの前面側に設けている。
【発明の効果】
【００１３】
本発明の請求項１の如く、ロック機構は、電子機器収納庫Ｐに収納した電子機器Ｒを支持する支柱材Ｐ１に固定する固定ネジ体１０と、該固定ネジ体１０に装着して収納された電子機器Ｒの前面側又は後面側を覆う蓋体２０と、該蓋体２０に装着されたロック手段３０とを備え、該ロック手段３０にて蓋体２０を固定ネジ体１０に施錠するように構成したことにより、電子機器収納庫Ｐに後付で取付けることが可能になった。しかも、固定ネジ体１０を装着する棚Ｑの位置を選択することで、本発明ロック機構の取付け位置を任意に選択することも可能である。
【００１４】
請求項２のように、固定ネジ体１０は、支柱材Ｐ１の長手側面に沿って予め形成されたネジ取付孔Ｐ２を利用してネジ止めするように構成され、蓋体２０に開穿されたダルマ穴状の挿通孔２２の大径口２２Ａに頭部１１を挿入し、小径口２２Ｂに軸部１２が係合するように設けられ、前記ロック手段３０は、シリンダー錠にロック片３１を設け、該ロック片３１を小径口２２Ｂ内の前記固定ネジ体１０の側面に当接させて蓋体２０の移動を防止するように設けたものであるから、支柱材Ｐ１を有する各種の電子機器収納庫Ｐに極めて簡単に装着することができ、しかも簡単な構成で確実な施錠が可能になった。
【００１５】
請求項３の蓋体２０は、電子機器収納庫Ｐに収納した電子機器Ｒの左右に位置する支柱材Ｐ１の前面側又は後面側に上下方向に沿って重ねる一対の固定柱体２１と、該固定柱体２１相互に連結され、収納した電子機器Ｒの前面側又は後面側を覆う遮蔽板２３とを備え、固定ネジ体１０を挿通せしめるダルマ穴状の挿通孔２２を固定柱体２１に開穿すると共に、該固定柱体２１の挿通孔２２近傍にロック手段３０を装着したことで、電子機器収納庫Ｐの位置を選択して後付で蓋体２０を装着することが可能になる。
【００１６】
請求項４により、固定柱体２１は、平断面コ字状を成した柱体２１Ａと、該柱体２１Ａの内部に沿って固定された固定板２１Ｂとで構成され、該固定板２１Ｂに挿通孔２２を開穿すると共に、ロック手段３０を柱体２１Ａの前面側に設けているので、ロック手段３０の簡単な操作で蓋体２０を固定ネジ体１０にロックすることができる。
【図面の簡単な説明】
【００１７】
【図１】本発明の一実施例を示す正面図である。
【図２】本発明の蓋体の挿通孔を示す要部分解斜視図である。
【図３】（イ）、（ロ）は、施錠前と施錠後を示す縦断面図である。
【図４】（イ）、（ロ）は、施錠前と施錠後を示す側断面図である。
【図５】本発明の固定ネジ体と挿通孔を示す平端面図である。
【図６】本発明のシリンダー錠を示す平端面図である。
【図７】本発明の他の使用例を示す斜視図である。
【図８】本発明の他の電子機器収納庫の使用例を示す斜視図である。
【発明を実施するための形態】
【００１８】
本発明は、例えば、ラックマウント型サーバやストレージ、ネットワーク機器などを収容するサーバラック等の電子機器収納庫Ｐに後付けで装着して電子機器Ｒの不正使用を防止する電子機器収納庫用のロック機構である。
【００１９】
本発明ロック機構は、電子機器収納庫Ｐ内の電子機器Ｒの前面又は後面に着脱自在に装着するロック機構であり、主要構成は、固定ネジ体１０、蓋体２０、ロック手段３０にて構成されている（図２参照）。
【００２０】
固定ネジ体１０は、電子機器収納庫Ｐの支柱材Ｐ１に固定するネジ状部材である（図２参照）。図示例では、電子機器収納庫Ｐの支柱材Ｐ１の長手側面に沿って予め形成されたネジ取付孔Ｐ２を利用してネジ止めする段付きネジを使用している（図７参照）。すなわち、固定ネジ体１０の雄ねじ部を支柱材Ｐ１のネジ取付孔Ｐ２にネジ止めするものである（図５参照）。
【００２１】
一方、支柱材Ｐ１のネジ取付孔Ｐ２は、予めタップが形成されているネジ取付孔Ｐ２の他、タップが形成されていない挿通孔にクリップナットと称する着脱自在な座金を装着し、この座金に固定ネジ体１０をねじ止めするように形成されたネジ取付孔Ｐ２などを含むものである（図示せず）。また支柱材Ｐ１の必要箇所にネジ取付孔Ｐ２を開穿してもよい。
【００２２】
蓋体２０は、電子機器収納庫Ｐ内に収納された電子機器Ｒの前面側又は後面側を覆う板状部材である（図７参照）。図示の蓋体２０は固定柱体２１と遮蔽板２３とで略門型に構成している。
【００２３】
固定柱体２１は、電子機器収納庫Ｐ内に収納する電子機器Ｒを支持する支柱材Ｐ１の前面側又は後面側に重ねて配置する一対の柱状部材である（図１参照）。本発明において、支柱材Ｐ１とは、例えば、サーバラックの四隅に立設されている支柱そのものや（図７参照）、電子機器Ｒを収納するボックス状の電子機器収納庫Ｐ内に配設され、電子機器Ｒを支持するように構成された部位も含むものである（図８参照）。
【００２４】
すなわち、図８に示す電子機器収納庫Ｐは、電子機器収納庫Ｐの開口部左右に設置した支柱材Ｐ１のネジ取付孔Ｐ２に、棚Ｑや電子機器Ｒを直接ネジ止めする構成である。このような支柱材Ｐ１でも固定柱体２１をネジ止めすることが可能である。
【００２５】
一方、固定柱体２１は、平断面コ字状を成した柱体２１Ａと、該柱体２１Ａの内部に沿って固定された固定板２１Ｂとで構成している（図２参照）。そして、柱体２１Ａにロック手段３０を設け、固定板２１Ｂに挿通孔２２を開穿している。
【００２６】
この挿通孔２２は、大径口２２Ａと小径口２２Ｂとでダルマ穴状を成している（図３参照）。この挿通孔２２に固定ネジ体１０を連結するには、まず挿通孔２２の大径口２２Ａに固定ネジ体１０の頭部１１を挿入する（同図（イ）参照）。次に固定板２１Ｂを下方に移動して小径口２２Ｂに軸部１２を係止する（同図（ロ）参照）。このとき、固定ネジ体１０の頭部１１は、小径口２２Ｂの周囲に係止するので、小径口２２Ｂから固定ネジ体１０は抜けない状態になる。図示例では、固定板２１Ｂに対して上下一対の挿通孔２２を設けている。更に、下部のロック手段３０側の挿通孔２２において、大径口２２Ａ部分を切り欠いて小径口２２Ｂのみの挿通孔２２にすることで、施錠作業の簡便化を図っている。
【００２７】
ロック手段３０は、蓋体２０の固定柱体２１に装着される手段で、図示例ではシリンダー錠にロック片３１を設けた構成である（図６参照）。そして、このロック片３１を小径口２２Ｂ内の固定ネジ体１０の側面に当接させて蓋体２０の移動を防止する（図４（ロ）参照）。このとき、ロック片３１を挿通せしめる挿通口２１Ａaを柱体２１Ａに開口している（図６参照）。そして、この挿通口２１Ａａに沿って回転するロック片３１が固定ネジ体１０の軸部１２に当接するように構成している（図４（ロ）参照）。尚、ロック手段３０は、図示例に限られるものではなく、この他の手段として例えば、蓋体２０を固定ネジ体１０に固定する錠前等を使用することも可能である。
【００２８】
遮蔽板２３は、この固定柱体２１相互に連結された板状部材で、収納された電子機器Ｒの前面側又は後面側を覆うものである（図１参照）。図示の遮蔽板２３は、左右の固定柱体２１に対して上下一対の遮蔽板２３をビス２４で平行に固定している（図１、図２参照）。図示のように、上下の遮蔽板２３の間に隙間を設けることで、電子機器Ｒの確認や放熱効果が得られる（図１参照）。更に、遮蔽した電子機器Ｒの動作を目視できるように遮蔽板２３にスリットを形成している（図２参照）。また、上部の遮蔽板２３より下部の遮蔽板２３を前面方向に膨らませることで、棚Ｑ内の機器の配線等に対応させることも可能である。尤も遮蔽板２３の形状やデザインは図示例に限られるものではなく任意に変更することができる。
【００２９】
この遮蔽板２３は、既に収納した電子機器Ｒの前面側又は後面側を覆うように配置する。電子機器Ｒの前面の通信ポートやスイッチなどを覆うことで、不正なアクセスを防止する。また、電子機器Ｒの後面側を覆うように配置すると、配線の不正脱着等も防止可能になる。更に、電子機器収納庫Ｐの電子機器Ｒが収納されていない特定のスペースを覆うことも可能である。この場合、電子機器収納庫Ｐの不正使用を防止することができる。
【００３０】
尚、図示例の各構成は、本発明の一実施例に過ぎず、本発明の電子機器収納庫Ｐとして使用されるラック類の用途は問わず、また、本発明の固定ネジ体１０や蓋体２０、ロック手段３０等の各構成は本発明の要旨を変更しない範囲において自由に変更することができる。
【符号の説明】
【００３１】
Ｐ  電子機器収納庫
Ｐ１  支柱材
Ｐ２  ネジ取付孔
Ｑ  棚
Ｒ  電子機器
１０  固定ネジ体
１１  頭部
１２  軸部
２０  蓋体
２１  固定柱体
２１Ａ  柱体
２１Ｂ  固定板
２２  挿通孔
２２Ａ  大径口
２２Ｂ  小径口
２３  遮蔽板
２４  ビス
３０  ロック手段
３１  ロック片
【図１】
2016217032.tif 000003
【図２】
2016217032.tif 000004
【図３】
2016217032.tif 000005
【図４】
2016217032.tif 000006
【図５】
2016217032.tif 000007
【図６】
2016217032.tif 000008
【図７】
2016217032.tif 000009
【図８】
2016217032.tif 000010